(57)【要約】【課題】パネルの取付状態が安定すると共にパネルの傾きの調整が容易となるレンジ用パネル取付具を提供する。【解決手段】パネル取付具２１は、水平部４２と水平部４２の両側縁の各々に接続する第１垂直部４３及び第２垂直部４４とからなる断面がコの字状の枠体２３と、枠体２３に取付けられた磁石２７と、第２垂直部４４の中央部分の下方端に接続され正面パネル１４の第２縁巻３５に係合する断面形状を有する縁巻ガイド片２４と、水平部４２の中央部であって、第２垂直部４４側に接続され、縁巻ガイド片２４の先端方向に伸びる突出片２５とから構成されている。縁巻ガイド片２４と突出片２５との間の隙間は、正面パネル１４の第１縁巻３３の径より大きく、第２縁巻３５の径より小さく設定されている。設置時にはパネル取付具２１の第１垂直部４３の下端と第２垂直部４４ａ，第２垂直部４４ｂの下端とが取付面に吸着固定されることになる。【選択図】　　　図２
2004132603.tif 000002
【特許請求の範囲】
【請求項１】
平板の外周縁に縁巻が形成されたシート状のパネルをレンジに取付けるためのレンジ用パネル取付具であって、
矩形シート形状の水平部と、前記水平部の両側縁の各々に接続する矩形シート形状の第１垂直部及び第２垂直部とからなる、断面がほぼコの字状の枠体と、
前記枠体の内方側に取付けられた磁石と、
前記第２垂直部の中央部分の下方端に接続され、前記縁巻に係合する断面形状を有する縁巻ガイド片と、
前記水平部の中央部であって、前記第２垂直部側に接続され、前記縁巻ガイド片の先端方向に伸びると共に、前記縁巻ガイド片との間に所定の隙間を有する突出片とを備えた、レンジ用パネル取付具。
【請求項２】
前記縁巻は、前記パネルのコーナー部に形成された第１縁巻と、前記第１縁巻にテーパ部を介して接続され、前記第１縁巻の径より大きな径の第２縁巻とからなり、
前記隙間は、前記第１縁巻の径より大きく、前記第２縁巻の径より小さい、請求項１記載のレンジ用パネル取付具。
【請求項３】
前記第２垂直部の一部が切欠かれ、前記突出片は、前記切欠かれた部分によって構成される、請求項１又は請求項２記載のレンジ用パネル用取付具。
【請求項４】
前記枠体、前記ガイド片及び前記突出片は、金属製よりなる１枚の矩形シートに切り目を入れ、これを曲げ加工することによって形成される、請求項１から請求項３のいずれかに記載のレンジ用パネル取付具。
【発明の詳細な説明】
【０００１】
【発明の属する技術分野】
この発明はレンジ用パネル取付具に関し、特にシステムキッチンレンジ等の使用時の油はね等から周囲の汚れを防止するための油除けパネルを取付けるためのレンジ用パネル取付具に関するものである。
【０００２】
【従来の技術】
図７は従来のテーブルコンロ用のパネル取付具の使用状態を示す図であり、図８は図７のＶＩＩＩ−ＶＩＩＩラインから見た拡大斜視図である。
【０００３】
これらの図を参照して、取付対象であるテーブルレンジ６１のトッププレート６２上に油除けパネル６４がパネル取付具６５を介して取付けられている。油除けパネル６４は四角平板形状の平板６６とこれの外周全周に形成された第１縁巻６７及び第２縁巻６８によって構成されている。尚、第１縁巻６７の径は第２縁巻６８の径より小さく設定されている。このようにしてテーブルレンジ６１の使用時における油はね等からの周囲の汚れを油除けパネル６４によって防止することが可能となる。
【０００４】
図９は図８で示したＩＸ−ＩＸラインの断面図であり、図１０は図９で示したＸ−Ｘラインの断面図である。
【０００５】
これらの図を参照して、パネル取付具６５は箱型形状を有し、その内部に直方体形状の磁石７１が取付けられている枠部７０と、枠部７０の一方側面に接続されその断面形状が逆Ｓ字形状の縁巻ガイド片７２とから構成される。縁巻ガイド片７２の円筒部分は油除けパネル６４の第２縁巻６８に係合する大きさに設定されており、縁巻ガイド片７２の先端と枠部７０との間には所定の隙間が形成されている。
【０００６】
使用時にあっては、図８に示すようにパネル取付具６５を、その縁巻ガイド片７２の軸方向が油除けパネル６４の第１縁巻６７及び第２縁巻６８の軸方向の延長線上に位置するように配置する。油除けパネル６４の第１縁巻６７がパネル取付具６５の縁巻ガイド片７２内に挿通するように、パネル取付具６５を油除けパネル６４に対して進行させる。第１縁巻６７の径は第２縁巻６８より小さく設定されているため、縁巻ガイド片７２の先端と枠部７０との間に形成された隙間を介して縁巻ガイド片７２は第１縁巻６７に沿って進行することになる。更に、パネル取付具６５を進行させると、パネル取付具６５の縁巻ガイド片７２は第２縁巻６８に係合し、図９で示すような状態にこれらは係合することになる。この時第２縁巻６８は縁巻ガイド片７２内面に密接した状態に係合するため、これらの係合状態が安定する。そして枠部７０を構成する３つの側面の端部がトッププレート６２に当接した状態となり、磁石７１の磁力によってパネル取付具６５はトッププレート６２上に堅固に吸着固定されることになる。
【０００７】
【発明が解決しようとする課題】
上記のような従来のパネル取付具にあっては、図１０に示すようにトッププレート６２との接触個所は、外方端部７４、側方端部７５ａ，側方端部７５ｂの３ヶ所となっている。すなわち油除けパネル６４の第２縁巻６８に係合する縁巻ガイド片７２側においては、枠部７０はトッププレート６２に接しない状態となっている。従って、例えば油除けパネル６４を介して縁巻ガイド片７２に対して持ち上げようとする力が加わった場合、枠部７０はトッププレート６２から起き上がり易くなる。このため枠部７０のトッププレート６２に対する固定状態としては充分とは言えなかった。
【０００８】
又、トッププレート６２との枠部７０の取付関係によって図９において枠部７０は時計方向周りに若干傾くような場合がある。この時油除けパネル６４は垂直方向に取付けられなくなるが、この時縁巻ガイド片７２の形状によって油除けパネル６４を反時計方向周りに回転させるように移動させることは困難である。油除けパネル６４が例えばアルミニウム箔によって成形されたものであるような場合には、油除けパネル６４に力を加えてこの状態を調整することが可能である。しかし、油除けパネル６４が薄い鉄板等で形成されている場合には、このような調整が容易でないため、油除けパネル６４の傾き調整ができず、使用勝手が低下する虞もある。
【０００９】
この発明は上記のような課題を解決するためになされたもので、パネルの取付状態が安定すると共に、パネルの傾きの調整が容易となるレンジ用パネル取付具を提供することを目的とする。
【００１０】
【課題を解決するための手段】
上記の目的を達成するために、請求項１記載の発明は、平板の外周縁に縁巻が形成されたシート状のパネルをレンジに取付けるためのレンジ用パネル取付具であって、矩形シート形状の水平部と、水平部の両側片の各々に接続する矩形シート形状の第１垂直部及び第２垂直部とからなる断面がほぼコの字状の枠体と、枠体の内方側に取付けられた磁石と、第２垂直部の中央部分の下方端に接続され、縁巻に係合する断面形状を有する縁巻ガイド片と、水平部の中央部であって、第２垂直部側に接続され、縁巻ガイド片の先端方向に伸びるとともに縁巻ガイド片との間に所定の隙間を有する突出片とを備えたものである。
【００１１】
このように構成すると、枠体の第１垂直部の下端及び第２垂直部の少なくとも一部が設置面に当接する。
【００１２】
請求項２記載の発明は、請求項１記載の発明の構成において、縁巻は、パネルのコーナー部に形成された第１縁巻と、第１縁巻にテーパ部を介して接続され、第１縁巻の径より大きな径の第２縁巻とからなり、隙間は第１縁巻の径より大きく、第２縁巻の径より小さいものである。
【００１３】
このように構成すると、パネルの第２縁巻を縁巻ガイド片に取付けた際、第２縁巻に直交する方向へのパネルの移動は縁巻ガイド片によって阻止される。又、パネルの縁巻ガイド片側へ傾かせるような移動が可能となる。
【００１４】
請求項３記載の発明は、請求項１又は請求項２記載の発明の構成において、第２垂直部の一部が切欠かれ、突出片は、切欠かれた部分によって構成されるものである。
【００１５】
このように構成すると、突出片は第２垂直部の切欠き部分により構成される。
【００１６】
請求項４記載の発明は、請求項１から請求項３のいずれかに記載の発明の構成において、枠体、ガイド片及び突出片は、金属製よりなる１枚の矩形シートに切れ目を入れ、これを曲げ加工することによって形成されるものである。
【００１７】
このように構成すると、磁石を除いたパネル取付具の部分は１枚の金属製シートにより形成されるものである。
【００１８】
【発明の効果】
以上説明したように、請求項１記載の発明は、枠体の第１垂直部及び第２垂直部の少なくとも一部が設置面に当接するため、パネルをレンジに取付けた状態が安定する。
【００１９】
請求項２記載の発明は、請求項１記載の発明の効果に加えて、係合状態におけるパネルの移動が縁巻ガイド片によって阻止されるとともにパネルのガイド片側への傾き調整が可能となるため、パネルの取付状態の信頼性が向上するとともに、パネルの傾きの調整が容易となる。
【００２０】
請求項３記載の発明は、請求項１又は請求項２記載の発明の効果に加えて、突出片は第２垂直部の切欠き部分によって構成されるため、構成材料の効率的な活用が可能となる。
【００２１】
請求項４記載の発明は、請求項１から請求項３のいずれかに記載の発明の効果に加えて、磁石以外のパネル取付具の部分は１枚の金属製シートにより形成されるため、コスト的に有利なパネル取付具となる。
【００２２】
【発明の実施の形態】
図１はこの発明の第１の実施の形態によるレンジ用パネル取付具の使用状態を示した斜視図であり、図２は図１で示した“Ｘ”部分の拡大斜視図である。
【００２３】
これらの図を参照して、システムキッチンレンジ１６はテーブル状のレンジトッププレート１７にガードプレート１８が埋め込まれ、その内方に複数のバーナー部１９が設置されて構成されている。このシステムキッチンレンジ１６のガードプレート１８の奥側と右側との部分のレンジトッププレート１７上に、油除けパネル１３が設置されている。油除けパネル１３は矩形シート状の正面パネル１４とこの正面パネル１４にヒンジを介して回動自在に接続された矩形シート状の側面パネル１５とから構成されている。
【００２４】
図２に示されているように、正面パネル１４は矩形シート状の平板３１とこれの外周全周に形成された第１縁巻３３及び第２縁巻３５によって構成されている。尚、第１縁巻３３は平板３１のコーナー部に形成されており、徐々にその径が大きくなるテーパ部３４を介して第２縁巻３５に接続されている。すなわち正面パネル１４はその各辺の大部分には第２縁巻３５が形成され、各コーナー部には第１縁巻３３が形成されることになる。
【００２５】
パネル取付具２１は油除けパネル１３を構成する正面パネル１４及び側面パネル１５の下辺の各々に脱着自在に取付けられ、油除けパネル１３をレンジトッププレート１７上に固定するものである。
【００２６】
図３は図２で示したＩＩＩ−ＩＩＩラインの拡大断面図であり、図４は図２で示したＩＶ−ＩＶラインの拡大断面図であり、図５は図２で示したＶ−Ｖラインの拡大断面図であり、図６は図５で示したＶＩ−ＶＩラインの断面図である。
【００２７】
これらの図と図２とを参照して、パネル取付具２１は断面がコの字状の枠体２３と、枠体２３の内面に取付けられる直方体形状の磁石２７とを中心として構成されている。枠体２３は矩形シート形状の金属製の鉄板を曲げ加工することによって構成され、矩形シート形状の水平部４２と、水平部４２の両側縁の各々に接続する矩形シート形状の第１垂直部４３及び第２垂直部４４とから構成されている。第２垂直部４４の中央部分の下方端には、正面パネル１４の第２縁巻３５に係合する断面形状を有する縁巻ガイド片２４が接続されている。この縁巻ガイド片２４の形成によってその両側の部分が、水平部４２に直交して下方に伸びる第２垂直部４４ａ，第２垂直部４４ｂを構成することになる。
【００２８】
又、水平部４２の中央部であって、第２垂直部４４側に接続され、縁巻ガイド片２４の先端方向に伸びる突出片２５が形成されている。尚、突出片２５の端部と縁巻ガイド片２４との間には、正面パネル１４の第２縁巻３５の径より小さく、且つ第１縁巻３３の径より大きな寸法Ｌとなる隙間２８が形成されている。更に、突出片２５は第２垂直部４４の一部に形成された切欠き２６の部材が相当するものであり、水平部４２の面とその上面が同一面となるように形成されている。
【００２９】
尚、枠体２３の水平部４２の長手方向側の端部の各々に凹部２９ａ，凹部２９ｂが形成されている。この凹部２９ａ，凹部２９ｂは図６に示すように水平部４２の内面側に対しては凸部４０ａ，凸部４０ｂとして表れている。これによってその間に取付ける磁石２７の水平部４２に対する位置決めが容易となる。
【００３０】
パネル取付具２１を正面パネル１４に対して取付ける際には、図２に示されているように、パネル取付具２１の縁巻ガイド片２４の軸方向を正面パネル１４の第１縁巻３３及び第２縁巻３５の軸方向の延長線上に位置するようにパネル取付具２１を設置する。そしてパネル取付具２１を、その縁巻ガイド片２４の内面に正面パネル１４の第１縁巻３３が挿通するように正面パネル１４に対して進行させる。第１縁巻３３の径は枠体２３の隙間２８より小さく設定されているため、第１縁巻３３は縁巻ガイド片２４の内面側に沿った状態で隙間２８の部分を通過する。更にパネル取付具２１の正面パネル１４に対する進行が進むと、縁巻ガイド片２４の内面に正面パネル１４の第２縁巻３５が挿入されて、図２に示すような係合状態となる。
【００３１】
この状態にあっては、図５に示すように縁巻ガイド片２４の内面に第２縁巻３５の外面が密接した状態となり、正面パネル１４の取付状態が安定する。この状態で正面パネル１４を上方に移動させようとすると、縁巻ガイド片２４の先端と突出片２５の先端との間の隙間２８は第２縁巻３５の径より小さく設定されているため、突出片２５がその移動を阻止する。これによって正面パネル１４のパネル取付具２１に対する係合状態が更に安定する。
【００３２】
又、縁巻ガイド片２４の先端は垂直方向に伸び、突出片２５が枠体２３側から水平方向に伸びているため、正面パネル１４をこの設置状態において二点鎖線で示すような位置まで傾くように移動させることが可能となる。これによって正面パネル１４が鉄板のプレス加工等による硬質な材料によるものであっても、パネル取付具２１の設置状況に応じて正面パネル１４の傾きを容易に調整することが可能となる。
【００３３】
パネル取付具２１のレンジトッププレート１７に対する設置状態としては、図６に示されているように第１垂直部４３の下方端部となる外方端部３７と、第２垂直部４４ａの下方端部となる内方端部３８ａと、第２垂直部４４ｂの下方端部となる内方端部３８ｂとの３ヶ所がレンジトッププレート１７の上面に対して当接することになる。図１０で示した従来例とは異なり、枠体２３の第２縁巻３５側の位置においても内方端部３８ａ，内方端部３８ｂによって枠体２３は常に吸着固定された状態が維持される。そのため図５に示したような状態で正面パネル１４を持ち上げようとした場合でも、第２縁巻３５側の内方端部３８ａ，内方端部３８ｂを通しての吸着力が発揮され、パネル取付具２１のレンジトッププレート１７に対する安定した固定状態が維持されることになる。
【００３４】
尚、上記の実施の形態では、枠体２３を構成する第１垂直部４３は全面に形成されているが、その一部を切り欠くようにしても良い。
【００３５】
又、上記の実施の形態では、取付けるべきパネルは鉄板のプレス加工による硬質材料のものを対象としているが、アルミ箔の成形加工によるものであっても同様に適用できる。
【００３６】
更に、上記の実施の形態では、枠体内に取付ける磁石は直方体形状を有しているが、磁石の形状は他の形状であっても同様の効果を奏する。
【図面の簡単な説明】
【図１】この発明の第１の実施の形態によるレンジ用パネル取付具の使用状態を示した斜視図である。
【図２】図１で示した“Ｘ”部分の拡大斜視図である。
【図３】図２で示したＩＩＩ−ＩＩＩラインの拡大断面図である。
【図４】図２で示したＩＶ−ＩＶラインの拡大断面図である。
【図５】図２で示したＶ−Ｖラインの拡大断面図である。
【図６】図５で示したＶＩ−ＶＩラインの断面図である。
【図７】従来のテーブルレンジ用のパネル取付具の使用状態を示した図である。
【図８】図７で示したＶＩＩＩ−ＶＩＩＩラインから見た斜視図である。
【図９】図８で示したＩＸ−ＩＸラインの拡大断面図である。
【図１０】図９で示したＸ−Ｘラインの断面図である。
【符号の説明】
１３…油除けパネル
１６…システムキッチンレンジ
２１…パネル取付具
２３…枠体
２４…縁巻ガイド片
２５…突出片
２６…切欠き
２７…磁石
２８…隙間
３１…平板
３３…第１縁巻
３５…第２縁巻
４２…水平部
４３…第１垂直部
４４…第２垂直部
尚、各図中同一符号は同一又は相当部分を示す。
【図１】
2004132603.tif 000003
【図２】
2004132603.tif 000004
【図３】
2004132603.tif 000005
【図４】
2004132603.tif 000006
【図５】
2004132603.tif 000007
【図６】
2004132603.tif 000008
【図７】
2004132603.tif 000009
【図８】
2004132603.tif 000010
【図９】
2004132603.tif 000011
【図１０】
2004132603.tif 000012